【手続補正書】
【提出日】平成19年10月9日(2007.10.9)
【手続補正１】
【補正対象書類名】明細書
【補正対象項目名】発明の名称
【補正方法】変更
【補正の内容】
【発明の名称】電子機器
【手続補正２】
【補正対象書類名】明細書
【補正対象項目名】特許請求の範囲
【補正方法】変更
【補正の内容】
【特許請求の範囲】
【請求項１】  携帯型の電子機器であって、四則演算の計算を行う指示を入力する四則演算キーが、該四則演算キーである「＝」キーを中心として放射状に配列されていることを特徴とする電子機器。
【請求項２】  「＝」キーを除く他の四則演算キーが前記「＝」キーを中心として、９０度毎に区切られた４方向の放射状に配列されていることを特徴とする請求項１に記載の電子機器。
【請求項３】  前記４方向は上下左右方向の放射状に配列されていることを特徴とする請求項２に記載の電子機器。
【請求項４】  キー配置の中心である前記「＝」キーに凸部が設けられていることを特徴とする請求項１ないし請求項３のいずれか1項に記載の電子機器。
【請求項５】  携帯型の電子機器であって、四則演算の計算を行う指示を入力する四則演算キーと、前記四則演算を行うための置数を入力するための数字キーとを備え、前記四則演算キーである「＝」キーを中心として前記数字キーが０から９までの連番となるように放射状に配列されていることを特徴とする電子機器。
【請求項６】  前記数字キーの隣接する２つのキーを１つのグループとし、隣接する各グループの間にそれぞれ凸部が設けられていることを特徴とする請求項５に記載の小型電子機器。
【請求項７】  時計機能をさらに備え、放射状に配列された前記数字キーによって時計の長針と短針とを表示することを特徴とする請求項５または請求項６に記載の電子機器。
【請求項８】  前記長針と短針の表示を、前記数字キーの点滅および点灯によって区別することを特徴とする請求項７に記載の電子機器。
【請求項９】  前記長針と短針の表示を、前記数字キーの点灯色を変えることによって区別することを特徴とする請求項８に記載の電子機器。
【請求項１０】  時計表示を行う時計表示スイッチをさらに備え、この時計表示スイッチが操作されたときにのみ、時計の長針と短針とを表示することを特徴とする請求項７ないし請求項９のいずれか１項に記載の電子機器。
【請求項１１】  前記上下左右方向の放射状に配列されている少なくとも「＝」キーを除く四則演算キーが、放射状に傾倒可能に設けられた１個のシーソーキーによって実現されていることを特徴とする請求項１ないし請求項３のいずれか１項に記載の電子機器。
【手続補正３】
【補正対象書類名】明細書
【補正対象項目名】０００１
【補正方法】変更
【補正の内容】
【０００１】
【発明の属する技術分野】
本発明は、携帯型の電子機器に関し、より詳細には、携帯型の電子計算機に関する。
【手続補正４】
【補正対象書類名】明細書
【補正対象項目名】０００２
【補正方法】変更
【補正の内容】
【０００２】
【従来の技術】
電子機器に関連した従来技術としては、特許第２６９００３０号公報に記載の遠隔操作装置、特開２０００−１１７９１号公報に記載のリモコン装置、特開平８−１９５７５８号公報に記載のプッシュボタン式電話機、実用新案登録第３０７１５２８号公報に記載の電卓、実開平６−４８０３７号公報に記載の電気卓上計算機などがある。
【手続補正５】
【補正対象書類名】明細書
【補正対象項目名】０００８
【補正方法】変更
【補正の内容】
【０００８】
【発明が解決しようとする課題】
しかしながら、上記従来技術１〜３は、いずれもテレビなどのリモコン装置であり、種々のキー配列が工夫されているが、携帯型かつ片手で操作可能な電卓を考慮したものではないため、電卓に必要な四則演算キーと数字キーとを操作性良く配列する工夫とはなっていないといった問題があった。
【手続補正６】
【補正対象書類名】明細書
【補正対象項目名】００１１
【補正方法】変更
【補正の内容】
【００１１】
本発明はかかる問題点を解決すべく創案されたもので、その目的は、携帯型かつ片手で操作可能な電子機器において、四則演算を行うためのキー配列の操作性を向上した電子機器を提供することにある。
【手続補正７】
【補正対象書類名】明細書
【補正対象項目名】００１２
【補正方法】変更
【補正の内容】
【００１２】
【課題を解決するための手段】
本発明の電子機器は、携帯型の電子機器であって、四則演算の計算を行う指示を入力する四則演算キーが、四則演算キーである「＝」キーを中心として放射状に配列されていることを特徴とする。
【手続補正８】
【補正対象書類名】明細書
【補正対象項目名】００１３
【補正方法】変更
【補正の内容】
【００１３】
このような特徴を有する本発明によれば、四則演算キーが、「＝」キーを中心として円弧を描くような親指の指先の動きのみで操作することができるため、キー入力操作の操作性を向上させることができる。
【手続補正９】
【補正対象書類名】明細書
【補正対象項目名】００１４
【補正方法】変更
【補正の内容】
【００１４】
また、本発明の電子機器によれば、「＝」キーを除く他の四則演算キーが前記「＝」キーを中心として、９０度毎に区切られた４方向の放射状に配列されていることを特徴とする。また、この４方向は上下左右方向の放射状に配列されている。さらに、四則演算を行うための置数を入力するための数字キーを備え、前記四則演算キーである「＝」キーを中心として前記数字キーが０から９までの連番となるように放射状に配列されていることを特徴とする。
【手続補正１０】
【補正対象書類名】明細書
【補正対象項目名】００１６
【補正方法】変更
【補正の内容】
【００１６】
また、本発明の電子機器によれば、キー配置の中心である前記「＝」キーに凸部が設けられていることを特徴とする。
【手続補正１１】
【補正対象書類名】明細書
【補正対象項目名】００１８
【補正方法】変更
【補正の内容】
【００１８】
また、本発明の電子機器によれば、「０」キーと「１」キーとの間、および「５」キーと「６」キーとの間にそれぞれ凸部が設けられていることを特徴とする。
【手続補正１２】
【補正対象書類名】明細書
【補正対象項目名】００２０
【補正方法】変更
【補正の内容】
【００２０】
また、本発明の電子機器によれば、０から９までの連番となるように放射状に配列されている前記数字キーの隣接する２つのキーを１つのグループとし、隣接する各グループの間にそれぞれ凸部が設けられていることを特徴とする。
【手続補正１３】
【補正対象書類名】明細書
【補正対象項目名】００２２
【補正方法】変更
【補正の内容】
【００２２】
また、本発明の電子機器によれば、時計機能をさらに備え、放射状に配列された前記数字キーによって時計の長針と短針とを表示することを特徴とする。
【手続補正１４】
【補正対象書類名】明細書
【補正対象項目名】００２４
【補正方法】変更
【補正の内容】
【００２４】
また、本発明の電子機器によれば、前記長針と短針の表示を、前記数字キーの点滅および点灯によって区別することを特徴とする。
【手続補正１５】
【補正対象書類名】明細書
【補正対象項目名】００２６
【補正方法】変更
【補正の内容】
【００２６】
また、本発明の電子機器によれば、前記長針と短針の表示を、前記数字キーの点灯色を変えることによって区別することを特徴とする。
【手続補正１６】
【補正対象書類名】明細書
【補正対象項目名】００２８
【補正方法】変更
【補正の内容】
【００２８】
また、本発明の電子機器によれば、時計表示を行う時計表示スイッチをさらに備え、この時計表示スイッチが操作されたときにのみ、時計の長針と短針とを表示することを特徴とする。
【手続補正１７】
【補正対象書類名】明細書
【補正対象項目名】００３０
【補正方法】変更
【補正の内容】
【００３０】
また、本発明の電子機器によれば、前記上下左右方向の放射状に配列されている少なくとも「＝」キーを除く四則演算キーが、放射状に傾倒可能に設けられた１個のシーソーキーによって実現されていることを特徴とする。
【手続補正１８】
【補正対象書類名】明細書
【補正対象項目名】００３２
【補正方法】変更
【補正の内容】
【００３２】
また、本発明の電子機器によれば、四則演算を行うために入力する置数や計算結果を表示するための表示セグメントが、「日」パターンと「×」パターンと「｜」パターンとを１つに組み合わせた表示セグメントとしてもよい。
【手続補正１９】
【補正対象書類名】明細書
【補正対象項目名】００３３
【補正方法】変更
【補正の内容】
【００３３】
このような構成によれば、四則演算の全てのキーを表示することができる。ただし、この場合、「÷」については、例えば「／」で代用することとする。
【手続補正２０】
【補正対象書類名】明細書
【補正対象項目名】００３５
【補正方法】変更
【補正の内容】
【００３５】
以下の説明では、本発明の電子機器を、携帯型かつ片手で操作可能な電子計算機に適用した場合について説明する。
【手続補正２１】
【補正対象書類名】明細書
【補正対象項目名】００３６
【補正方法】変更
【補正の内容】
【００３６】
［実施の形態１］
図１は、本実施の形態１に係る電子計算機の外観図である。
【手続補正２２】
【補正対象書類名】明細書
【補正対象項目名】００３７
【補正方法】変更
【補正の内容】
【００３７】
この電子計算機は、片手に収まる大きさの形状に形成されたキャビネット１の上部に、ＬＣＤ（Liquid Crystal Display）からなる表示装置２が配置されており、その下側のキャビネット表面に、入力装置３が配置されている。また、キャビネット１の内部には、図３に示すように、ＣＰＵ７１、ＲＯＭ７２、ＲＡＭ７３、表示制御装置７４、および入力制御装置７５などを構成したＬＳＩチップ等が実装されたＰＣＢ（Printed Circuit Board）７が内蔵されている。また、ＰＣＢ７と表示装置２であるＬＣＤとは、図示は省略しているがＨＭＦ（ＨｏｔＭｅｌｔ Ｆｉｌｍ）で接続されている。この他にも、各部に電源を供給するための電池などもキャビネット１に内蔵されている。
【手続補正２３】
【補正対象書類名】明細書
【補正対象項目名】００３８
【補正方法】変更
【補正の内容】
【００３８】
また、表示装置２の表示部の表示文字は、通常の電卓に使用されている日文字構成となっている。さらに、この電子計算機は、携帯型であるため、その補助機能としてキーホルダーまたはストラップ６がキャビネット１に取り付けられている。
【手続補正２４】
【補正対象書類名】明細書
【補正対象項目名】００４０
【補正方法】変更
【補正の内容】
【００４０】
入力装置３は、０〜９の数字キー、＋、−、×、÷の四則演算キー、「＝」キー、「ＯＮ／Ｃ」キーで構成されている。そして、四則演算キーが「＝」キーを中心として放射状に配列されている。すなわち、図１からも分かるように、四則演算キーが「＝」キーを中心として、９０度毎に区切られた４方向の放射状かつ円形状に配列されている。また、この４方向は上下左右方向の放射状に配列されている。そして、この四則演算キーの外側に、数字キーが０から９までの連番となるように放射状かつ円形状に配列されている。すなわち、「＝」キーを除く四則演算キーおよび数字キーは、「＝」キーを中心とした２重円形構造となっている。このキー配列は、親指１本で操作できるように、親指の届く範囲に配置されている。
【手続補正２５】
【補正対象書類名】明細書
【補正対象項目名】００４４
【補正方法】変更
【補正の内容】
【００４４】
次に、上記構成の電子計算機によるキー操作例について、図４を参照して説明する。図４は、左側の列が表示装置２に表示される表示内容の変化、右側の列がキー操作の変化をそれぞれ示しており、キー操作と表示内容とが左右に対応するように表されている。
【手続補正２６】
【補正対象書類名】明細書
【補正対象項目名】００４６
【補正方法】変更
【補正の内容】
【００４６】
［実施の形態２］
図５は、本実施の形態２の電子計算機の外観図を示している。
【手続補正２７】
【補正対象書類名】明細書
【補正対象項目名】００５０
【補正方法】変更
【補正の内容】
【００５０】
［実施の形態３］
図６は、本実施の形態３の電子計算機の外観図を示している。
【手続補正２８】
【補正対象書類名】明細書
【補正対象項目名】００５１
【補正方法】変更
【補正の内容】
【００５１】
本実施の形態３では、電子計算機が時計機能を備えている。そのため、文字キーの配列が、上記実施の形態１、２では０から９までの１０個のキーであったのが、本実施の形態３では、１から１２までの１２個のキーとなっている。ここで、１０、１１、１２のそれぞれのキーは、時計機能では時刻の１０時、１１時、１２時を表し、電卓機能では、「１０」キーが「０」、「１１」キーがメモリの「Ｍ＋」、「１２」キーがメモリの「Ｍ−」として使われる。
【手続補正２９】
【補正対象書類名】明細書
【補正対象項目名】００５２
【補正方法】変更
【補正の内容】
【００５２】
図７は、このような時計機能を有する電子計算機の回路構成を示すブロック図である。基本構成は、図３に示したものと同じであるが、本実施の形態３では、時計を表示するための１２個または２４個のＬＥＤ群８（図７では後述する長針用の１２個のＬＥＤ８ａ１〜８ａ１２と、短針用の１２個のＬＥＤ８ｂ１〜８ｂ１２の合計２４個のＬＥＤが接続された例を示している）がＣＰＵ７１に接続されている。また、ＲＯＭ７２には、図３で示した演算プログラムの他に、本実施の形態３に係わる時計、タイマー、表示テーブル等が格納されており、ＲＡＭ７３には、図３で示したのと同じ値数メモリや演算結果メモリが格納されている。また、入力装置３は、０（表示上は「１０」）〜９の数値キー、＋、−、×、÷の四則演算キー、「ＯＮ／Ｃ」キーの他、「Ｍ＋」キー（表示上は「１１」キー）、「Ｍ−」キー（表示上は「１２」キー）で構成されている。
【手続補正３０】
【補正対象書類名】明細書
【補正対象項目名】００５９
【補正方法】変更
【補正の内容】
【００５９】
図９は、本実施の形態３の電子計算機のキャビネット１の内部構造を示しており、同図（ａ）は上キャビネット１ａを開いてその裏側を見せている状態を示し、同図（ｂ）は上キャビネット１ａを除去した状態の下キャビネット１ｂの内部構造を示している。
【手続補正３１】
【補正対象書類名】明細書
【補正対象項目名】００６５
【補正方法】変更
【補正の内容】
【００６５】
上記構成により、５分刻みで時刻を表示できる携帯型の電子計算機を実現することができる。
【手続補正３２】
【補正対象書類名】明細書
【補正対象項目名】００６７
【補正方法】変更
【補正の内容】
【００６７】
［実施の形態４］
図１１は、本実施の形態４の電子計算機の外観図を示している。
【手続補正３３】
【補正対象書類名】明細書
【補正対象項目名】００６８
【補正方法】変更
【補正の内容】
【００６８】
本実施の形態３の電子計算機は、上記実施の形態１に示した電子計算機に比べて、キーの構成が全く異なっている。すなわち、四則演算の計算を行う指示を入力する四則演算キーとしての機能と、四則演算を行うための置数などを入力するための数字キーとしての機能とを、上下左右に傾倒可能であるとともにその全体を押し下げ可能に設けられた１個のシーソーキー１５によって実現したものである。
【手続補正３４】
【補正対象書類名】明細書
【補正対象項目名】００７６
【補正方法】変更
【補正の内容】
【００７６】
次に、本実施の形態４の電子計算機を用いて、（５００＋３００＋１５０＝）、という計算を行う場合について、図１３に示す表示装置の表示例とキー操作例とを参照して説明する。
【手続補正３５】
【補正対象書類名】明細書
【補正対象項目名】００８８
【補正方法】変更
【補正の内容】
【００８８】
【発明の効果】
本発明の携帯型かつ片手で操作可能な電子機器は、四則演算の計算を行う指示を入力する四則演算キーが、四則演算キーである「＝」キーを中心として放射状に配列された構成となっている。これにより、四則演算キーが、「＝」キーを中心として円弧を描くような親指の指先の動きのみで操作することができるため、キー入力操作の操作性を向上させることができる。
【手続補正３６】
【補正対象書類名】明細書
【補正対象項目名】００８９
【補正方法】変更
【補正の内容】
【００８９】
また、本発明の電子機器によれば、この四則演算キーの外側に数字キーが放射状に配列されてた構成となっている。これにより、「＝」キーを中心として、指先をわずかに放射状に、または小さめの円弧を描くように動かすことによって、「＝」キー以外の四則演算キーが操作でき、「＝」キーを中心として、指先をやや遠目の放射状に、またはやや大きめの円弧を描くように動かすことによって、数字キーが操作できる。このように、規則正しい親指の指先の動きで全てのキーを操作できるので、キー入力操作の操作性を向上させることができる。
【手続補正３７】
【補正対象書類名】明細書
【補正対象項目名】００９０
【補正方法】変更
【補正の内容】
【００９０】
また、本発明の電子機器によれば、キー配置の中心である前記「＝」キーに凸部が設けられている。これにより、配置されたキーの中心である「＝」キーが識別し易くなり、また、キー操作時の起点とすることができるので、キー入力操作の操作性を向上させることができる。
【手続補正３８】
【補正対象書類名】明細書
【補正対象項目名】００９１
【補正方法】変更
【補正の内容】
【００９１】
また、本発明の電子機器によれば、数字キーが０から９までの連番となるように放射状に配列されているとともに、「０」キーと「１」キーとの間、および「５」キーと「６」キーとの間にそれぞれ凸部が設けられた構成としている。これにより、数字キーを２つのグループに区別することができるため、数字キーの種類を識別し易くなる。特に、「０」キーと「１」キー、「５」キーと「６」キーについては、凸部に隣接しているため、より識別し易くなる。
【手続補正３９】
【補正対象書類名】明細書
【補正対象項目名】００９２
【補正方法】変更
【補正の内容】
【００９２】
また、本発明の電子機器によれば、０から９までの連番となるように放射状に配列されている数字キーの隣接する２つのキーを１つのグループとし、隣接する各グループの間にそれぞれ凸部が設けられた構成としている。これにより、数字キーを５つのグループに区別することができるため、数字キーの種類がより識別し易くなる。
【手続補正４０】
【補正対象書類名】明細書
【補正対象項目名】００９３
【補正方法】変更
【補正の内容】
【００９３】
また、本発明の電子機器によれば、時計機能をさらに備え、放射状に配列された前記数字キーによって時計の長針と短針とを表示する構成としている。これにより、キーを増やすことなく、アナログ表示に近い時計表示を実現することができる。
【手続補正４１】
【補正対象書類名】明細書
【補正対象項目名】００９４
【補正方法】変更
【補正の内容】
【００９４】
また、本発明の電子機器によれば、前記長針と短針の表示を、前記数字キーの点滅および点灯によって区別する構成としている。これにより、例えば長針はキーの点灯、短針はキーの点滅によって表示することで、同じ数字キーで長針と短針とを区別することができる。
【手続補正４２】
【補正対象書類名】明細書
【補正対象項目名】００９５
【補正方法】変更
【補正の内容】
【００９５】
また、本発明の電子機器によれば、前記長針と短針の表示を、前記数字キーの点灯色を変えることによって区別する構成としている。これにより、例えば長針は青、短針は赤などの色によって表示することで、同じ数字キーで長針と短針とを区別することができる。
【手続補正４３】
【補正対象書類名】明細書
【補正対象項目名】００９６
【補正方法】変更
【補正の内容】
【００９６】
また、本発明の電子機器によれば、時計表示を行う時計表示スイッチをさらに備え、この時計表示スイッチが操作されたときにのみ、時計の長針と短針とを表示する構成としている。これにより、例えば「ＯＮ／Ｃ」キーを押したときだけ、数秒間時計表示を行うようにすることで、時計表示のための電池の消耗を極力抑えることができる。
【手続補正４４】
【補正対象書類名】明細書
【補正対象項目名】００９７
【補正方法】変更
【補正の内容】
【００９７】
また、本発明の電子機器によれば、上下左右方向の放射状に配列されている少なくとも「＝」キーを除く四則演算キーが、放射状に傾倒可能に設けられた１個のシーソーキーによって実現された構成としている。そして、シーソーキーに順／逆送りキーを設け、このシーソーキーの操作に対応して選択されるキー入力のローテーションを表すテーブルに従って、数字が画面上に順番に表れるようにすることで、四則演算を行うことができる。これにより、数字キーや四則演算キーを無くすことができるとともに、機器の小型軽量化を実現することができる。
【手続補正４５】
【補正対象書類名】明細書
【補正対象項目名】００９８
【補正方法】削除
【補正の内容】
【手続補正４６】
【補正対象書類名】明細書
【補正対象項目名】図面の簡単な説明
【補正方法】変更
【補正の内容】
【図面の簡単な説明】
【図１】  実施の形態１に係る電子計算機の外観図図である。
【図２】  （ａ）はキー部分の部分拡大断面図、（ｂ）はキー部分の部分拡大平面図、（ｃ）はキー部分の部分拡大断面図である。
【図３】  実施の形態１に係る電子計算機の回路構成を示すブロック図である。
【図４】  実施の形態１に係る電子計算機によるキー操作例と表示例とを示す説明図であ  る。
【図５】  実施の形態２に係る電子計算機の外観図である。
【図６】  実施の形態３に係る電子計算機の外観図である。
【図７】  実施の形態３に係る電子計算機の回路構成を示すブロック図である。
【図８】  ＲＯＭに格納されている表示テーブルの一例を示す説明図である。
【図９】  実施の形態３の電子計算機のキャビネットの内部構造を示しており、（ａ）は上キャビネットを開いてその裏側を見せている状態、（ｂ）は下キャビネット１ｂの内部の主にキー配置の構造を示している。
【図１０】  （ａ）はキー部分の概略平面図、（ｂ）および（ｃ）はキー部分の構造を示す部分拡大断面図である。
【図１１】  実施の形態４に係る電子計算機の外観図である。
【図１２】  キー入力のローテーションの一例を示す説明図である。
【図１３】  実施の形態４の電子計算機を用いて計算を行う場合の表示装置の表示例とキー操作例とを示す説明図である。
【符号の説明】
１  キャビネット
１ａ  上キャビネット
１ｂ  下キャビネット
２  表示装置
３  入力装置
４  凸ピン
５  凸リブ
６  キーホルダーまたはストラップ
７  ＰＣＢ
７１  ＣＰＵ
７２  ＲＯＭ
７３  ＲＡＭ
７４  表示制御装置
７５  入力装置
８  ＬＥＤ群
８ａ１〜８ａ１２  長針用（赤色）のＬＥＤ
８ｂ１〜８ｂ１２  短針用（青色）のＬＥＤ
１５  シーソーキー
１５ａ  「△」キー
１５ｂ  「▽」キー
１５ｃ  「ＯＮ」キー（確定キー）
１５ｄ  左向き三角キー（カーソルキー）
１５ｅ  右向き三角キー（カーソルキー）
１６  消去キー